(57)【要約】【課題】簡単に装着でき、装着時にずれが生じにくく骨盤の支持効果を安定して得ることができる骨盤支持帯を提供しようとするものである。【解決手段】腸骨の周囲に巻回可能な長さを有する帯状部１と、帯状部１の長手方向両端部に夫々設けられ、帯状部１の伸縮性よりも高い伸縮性を有する第１高伸縮部２ａ及び第２高伸縮部２ｂとを備えた。【選択図】図１
0003194515.tif 000002
【実用新案登録請求の範囲】
【請求項１】
腸骨の周囲に巻回可能な長さを有する帯状部と、
前記帯状部の長手方向両端部に夫々設けられ、帯状部の伸縮性よりも高い伸縮性を有する第１高伸縮部及び第２高伸縮部とを備えたことを特徴とする骨盤支持帯。
【請求項２】
前記帯状部は、綿素材にて構成されることを特徴とする請求項１に記載の骨盤支持帯。
【請求項３】
前記第１高伸縮部及び第２高伸縮部は、ナイロンの糸と、ポリウレタンの糸にナイロンの糸を巻き付けたサポート糸とが交互にメリヤス編みされた生地、又はサポート糸がメリヤス編みされた生地のいずれかであることを特徴とする請求項１又は請求項２に記載の骨盤支持帯。
【請求項４】
前記帯状部と高伸縮部とが、着脱自在に取り付けられていることを特徴とする請求項１〜請求項３のいずれか１項に記載の骨盤支持帯。
【考案の詳細な説明】
【技術分野】
【０００１】
本考案は、骨盤を支持する骨盤支持帯に関する。
【背景技術】
【０００２】
妊婦や産褥婦の骨盤は、緩みや開き等により不安定な状態となっている。骨盤の位置がずれたり緩んだりした状態が、腰痛や体形の変化、その他、種々の体調不良の原因の一つであるという観点から、骨盤の位置を正しく支持して、これらの不調を予防又は改善するものがある（特許文献１）。
【０００３】
特許文献１のものは、帯状体にて形成される骨盤支持帯を腸骨の周囲に巻回させることにより骨盤を支持する。すなわち、特許文献１のものは、帯状部分がバンド状に構成され、帯状部分の一端部に面ファスナが設けられるとともに、他端部に係止リングが設けられている。この骨盤支持帯の装着方法は、帯状部分を腸骨の周囲に巻回させて、係止リングに、面ファスナ側の端部を挿通させて折り返し、面ファスナを重ね合わせる。これにより、帯状部分を腸骨の周囲に固定することができる。
【０００４】
また、骨盤支持帯の他の形態として、帯状の布のみで構成された、いわゆるさらしが知られている。この骨盤支持帯の装着方法は、帯状の布を腸骨の周囲に２周以上巻回させて、長手方向の両端部を巻回部分にはさみ込む。これにより、帯状の布を腸骨の周囲に固定することができる。
【先行技術文献】
【特許文献】
【０００５】
【特許文献１】特開平８−５２１６８号公報
【考案の概要】
【考案が解決しようとする課題】
【０００６】
ところで、このような骨盤支持帯は、長時間装着することが好ましく、装着中に、立位状態から臥位状態へと体位が変化する場合や、臥位状態から立位状態へと体位が変化する場合がある。前記特許文献１の骨盤支持帯は、面ファスナが帯状部分の一部に一体的に設けられている。このため、特許文献１のものを装着した状態で体位が変化すると、特に、帯状部分の長手方向に対して垂直な方向に力がかかった場合、帯状部分は伸縮性がないため、人の体位変化に柔軟に対応することができない。このため、帯状部分が、巻回すべき位置からずれてしまうという問題があった。
【０００７】
また、帯状の布の端部をはさみ込んで固定するさらしは、巻回部分が緩まないように手で押さえながら端部をはさみ込む必要があり、このはさみ込みが上手くいかないと、装着途中で巻回部分がずれてしまい、適切に骨盤を支持できないという問題があった。さらに、前記特許文献１のものと同様に、帯状の布だけでは伸縮性がないため、人の体位変化に柔軟に対応することができないという問題があった。
【０００８】
そこで、本考案は斯かる実情に鑑み、簡単に装着でき、装着時にずれが生じにくく骨盤の支持効果を安定して得ることができる骨盤支持帯を提供しようとするものである。
【課題を解決するための手段】
【０００９】
本考案の骨盤支持帯は、腸骨の周囲に巻回可能な長さを有する帯状部と、前記帯状部の長手方向両端部に夫々設けられ、帯状部の伸縮性よりも高い伸縮性を有する第１高伸縮部及び第２高伸縮部とを備えたものである。
【００１０】
本考案の骨盤支持帯によれば、帯状部の長手方向両端部に第１高伸縮部と第２高伸縮部とを備えているので、装着する際には、２つの高伸縮部を結び付ける（結び目を形成する）だけで、帯状部を腸骨の周囲に固定することができる。この場合、高伸縮部の結び方は問わないため、装着に際して特別な技術や熟練は不要となる。また、高伸縮部は高い伸縮性を有しているため、人の体位変化に追従することができる。すなわち、高伸縮部が伸縮して人の体位変化に柔軟に対応できるため、高伸縮部は、体位変化により受ける応力を吸収することができる。しかも、高伸縮部は、帯状部とは別体であるため、帯状部に応力が及びにくいものとなる。これにより、帯状部は、人の体位変化の影響を受けることが少なくなって、帯状部は、巻回状態を安定して維持することができる。
【００１１】
前記構成において、前記帯状部は、綿素材にて構成することができる。これにより、帯状部は、柔軟性が良いものとなって巻回しやすくなるとともに、肌触りが良いものとなって、装着しやすいものとなる。
【００１２】
前記構成において、前記第１高伸縮部及び第２高伸縮部は、ナイロンの糸と、ポリウレタンの糸にナイロンの糸を巻き付けたサポート糸とが交互にメリヤス編みされた生地、又はサポート糸がメリヤス編みされた生地のいずれかとすることができる。これらの生地は、ストッキングを構成する生地であり、この生地を使用することで、高伸縮部は丈夫で肌触りが良く、伸縮性に優れたものとなる。
【００１３】
前記構成において、前記帯状部と高伸縮部とが、着脱自在に取り付けられるようにしてもよい。これによって、既存の布生地を帯状部や高伸縮部として、簡単に骨盤支持帯を構成することができる。また、帯状部や高伸縮部が破れる等により破損しても、破損部分のみを取り換えることができて至便なものとなる。
【考案の効果】
【００１４】
本考案では、２つの高伸縮部を結び付けるだけで、帯状部を固定することができるため、簡単に装着でき、装着時にずれが生じにくく骨盤の支持効果を安定して得ることができる。
【図面の簡単な説明】
【００１５】
【図１】本考案の骨盤支持帯を示す平面図である。
【図２】本考案の骨盤支持帯の装着方法を示す図であり、（ａ）は装着途中、（ｂ）は装着した状態を示す図である。
【図３】本考案の骨盤支持帯の装着方法を示す拡大図である。
【考案を実施するための形態】
【００１６】
以下、本考案の実施の形態を図１〜図３に基づいて説明する。
【００１７】
本考案の骨盤支持帯は、図１に示すように、帯状部１と、第１高伸縮部２ａと、第２高伸縮部２ｂとから構成される。
【００１８】
帯状部１は、人に巻回されて骨盤を支持する箇所であり、長尺の布生地である。図１〜図３に示す帯状部１は、長尺の布生地を、長手方向に沿って４つ折りにして構成されている。帯状部１の長手方向の長さは、図３に示すように、人の腸骨４の周囲に２〜３周巻回できる長さを有しているのが好ましく、本実施形態では約２．５ｍの長さを有している。帯状部１の短手方向の長さは、４つ折りにした状態で４ｃｍ〜８ｃｍの長さを有するのが好ましい。
【００１９】
帯状部１は、綿素材にて構成されている。これにより、帯状部１は、柔軟性が良いものとなって巻回しやすくなるとともに、肌触りが良いものとなって、装着しやすいものとなる。
【００２０】
第１高伸縮部２ａ及び第２高伸縮部２ｂは、骨盤支持帯の両端部に相当する。第１高伸縮部２ａは、帯状部１の一方の長手方向端部に取り付けられており、第２高伸縮部２ｂは、帯状部１の他方の長手方向端部に取り付けられている。
【００２１】
第１高伸縮部２ａの長手方向の長さは、第２高伸縮部２ｂとで結び目を形成できる長さを有しており、本実施形態では約３０ｃｍの長さを有する。第１高伸縮部２ａの短手方向の長さは、帯状部１の短手方向の長さとほぼ同一長さとなっている。
【００２２】
第１高伸縮部２ａは、ナイロンの糸と、ポリウレタンの糸にナイロンの糸を巻き付けたサポート糸とが交互にメリヤス編みされた生地、又はサポート糸がメリヤス編みされた生地のいずれかで構成されている。これらの生地は、ストッキングを構成する生地であり、この生地を使用することで、高伸縮部は丈夫で肌触りが良く、伸縮性に優れたものとなる。
【００２３】
第２高伸縮部２ｂの形態や素材は、第１高伸縮部２ａのものと同一であるため、説明を省略する。
【００２４】
帯状部１と第１高伸縮部２ａ、及び帯状部１と第２高伸縮部２ｂは、連結手段３ａ、３ｂを介して着脱自在に取り付けられている。本実施形態では、連結手段３は安全ピンにて構成されている。これによって、既存の布生地を帯状部１や高伸縮部２ａ、２ｂとして、簡単に本考案の骨盤支持帯を構成することができる。すなわち、既存の長尺の布生地の長手方向両端部に、例えば膝下ストッキングを夫々安全ピンを介して取り付ければ、本考案の骨盤支持帯を構成することができる。また、帯状部１や高伸縮部２ａ、２ｂが破れる等により破損しても、破損部分のみを取り換えることができて至便なものとなる。
【００２５】
本考案の骨盤支持帯の装着方法は、図２（ａ）及び図３に示すように、帯状部１を腸骨４の周囲に２〜３周巻回させる。このとき、帯状部１が緩んで巻回位置からずれないように、帯状部１の緊張状態を維持しながら、帯状部１を人に密着させる。この状態で、図２（ｂ）に示すように、第１高伸縮部２ａと第２高伸縮部２ｂとで結び目を作る。図２（ｂ）は固結びとしているが、それ以外にも、縦結び、蝶結び（双輪結び）、片輪結び等、いずれの結び方であってもよい。結び目は、結びやすさの観点から、人の前身位置であることが望ましいが、必ずしも前身位置でなくてもよい。
【００２６】
このように、本考案では、帯状部１の長手方向両端部に第１高伸縮部２ａと第２高伸縮部２ｂとを備えているので、装着する際には、２つの高伸縮部２ａ、２ｂを結び付ける（結び目を形成する）だけで、帯状部１を腸骨４の周囲に固定することができる。この場合、高伸縮部２ａ、２ｂの結び方は問わないため、装着に際して特別な技術や熟練は不要となって、簡単に装着することができる。
【００２７】
また、高伸縮部２ａ、２ｂは高い伸縮性を有しているため、人の体位変化に追従することができる。すなわち、高伸縮部２ａ、２ｂが伸縮して人の体位変化に柔軟に対応できるため、高伸縮部２ａ、２ｂは、体位変化により受ける応力を吸収することができる。しかも、高伸縮部２ａ、２ｂは、帯状部１とは別体であるため、帯状部１に応力が及びにくいものとなる。これにより、帯状部１は、人の体位変化の影響を受けることが少なくなって、帯状部１は、巻回状態を安定して維持することができ、ずれが生じにくく骨盤の支持効果を安定して得ることができる。
【００２８】
以上、本考案の実施形態につき説明したが、本考案は前記実施形態に限定されることなく種々の変形が可能であって、例えば、帯状部１は、１枚の布生地を折り曲げることなくそのまま使用してもよい。また、帯状部１は、布生地ではなくベルト状のものであってもよい。すなわち、帯状部１は骨盤を支持できるものであればよいため、伸縮性が低く、可撓性を有するものであればよい。
【００２９】
第１高伸縮部２ａと第２高伸縮部２ｂとは、例えばサテンネット生地、パワーネット生地、スパンレックス生地等、他の伸縮性のある生地にて構成してもよい。また、第１高伸縮部２ａと第２高伸縮部２ｂとは、同一の形態、素材でなくてもよく、双方で形態を変えたり素材を変えたりすることもできる。第１高伸縮部２ａや第２高伸縮部２ｂの短手方向幅は、帯状部１と同一の幅でなくてもよい。
【００３０】
実施形態で説明した長さ寸法は例示であり、種々の長さ寸法を採用することができる。連結手段３ａ、３ｂは、面ファスナや、布用の接着剤等であってもよい。また、連結手段３ａ、３ｂを省略して帯状部１と高伸縮部２ａ、２ｂとが縫着されていてもよい。
【符号の説明】
【００３１】
１     帯状部
２ａ   第１高伸縮部
２ｂ   第２高伸縮部
３ａ、３ｂ  連結手段
４     腸骨
【図１】
0003194515.tif 000003
【図２】
0003194515.tif 000004
【図３】
0003194515.tif 000005